(57)【要約】【課題】スピニングリールを装着した場合の把持手の把持感を向上させつつ、親指載置部位の耐久性を向上させる。【解決手段】リール載置面１２Ｂを有するリール固定装置部のグリップ領域の内、少なくともリール載置面の径方向反対側であって、前側フード１２Ａよりも所定量前方部領域に、天然か人工のコルク材又は発泡性合成樹脂材によって形成されたグリップ部材２０Ｂを被せており、スピニングリールを装着してリール固定装置部を把持した場合の親指の第一関節（先側関節）より先部が当接する領域の一部であって、前記グリップ部材領域内にグリップ部材よりも硬質な部材２８を配設しているよう構成する。【選択図】        図１
2004321085.tif 000002
【特許請求の範囲】
【請求項１】
リール載置面を有するリール固定装置部のグリップ領域の内、少なくともリール載置面の径方向反対側であって、前側フードよりも所定量前方部領域に、天然か人工のコルク材又は発泡性合成樹脂材によって形成されたグリップ部材を被せており、スピニングリールを装着してリール固定装置部を把持した場合の親指の第一関節より先部が当接する領域の一部であって、前記グリップ部材領域内にグリップ部材よりも硬質な部材を配設していることを特徴とする釣竿。
【発明の詳細な説明】
【０００１】
【発明の属する技術分野】
本発明は、リール固定装置部のグリップ領域に柔軟なグリップ部材を設けている釣竿に関する。
【０００２】
【従来の技術】
スピニングリールを装着して釣りを行う場合、リール固定装置部を把持し、微妙な操作を行いながら当たりを待つことが多い。また、ルアーロッドではここを把持して釣り操作を行うことが普通である。こうした場合、把持手の感触を向上させたり、軽量化のために、手の当たる領域（グリップ領域）表面に、天然や人工のコルクやＥＶＡ等の発泡性合成樹脂材で形成したグリップ部材を設けることがある。この場合、把持手の親指は、リール載置面の径方向反対側であって、前側フードよりも所定量前方位置表面に載置して力を入れたり抜いたりして、当たりを待っている間竿の上下動等の釣竿操作を行う。こうしたスピニングリール使用を想定したリール固定装置部（リールシート部）の一例が下記特許文献１や特許文献２に開示されている。
【特許文献１】
特開２０００−１８９０１０号公報
【特許文献２】
実開昭６０−７７３６７号公報
【０００３】
【発明が解決しようとする課題】
然しながら、上記文献１のように、親指載置部（大径部）がグリップ部材のみであれば摩擦等に対して耐久性に乏しく、長く使った場合や、釣りの態様によっては短時間で摩損する。また、特許文献２のように、親指の先端部（第一関節から先部）の全体が硬質な部品上に載置されていると、把持手の感触が良くなく、長時間の使用では指先が痛くなり、釣りが快適でなくなる。
依って本発明は、スピニングリールを装着した場合の把持手の把持感を向上させつつ、親指載置部位の耐久性を向上させることを目的とする。
【０００４】
【課題を解決するための手段】
上記目的に鑑みて本発明の請求項１では、リール載置面を有するリール固定装置部のグリップ領域の内、少なくともリール載置面の径方向反対側であって、前側フードよりも所定量前方部領域に、天然か人工のコルク材又は発泡性合成樹脂材によって形成されたグリップ部材を被せており、スピニングリールを装着してリール固定装置部を把持した場合の親指の第一関節（先側関節）より先部が当接する領域の一部であって、前記グリップ部材領域内にグリップ部材よりも硬質な部材を配設していることを特徴とする釣竿を提供する。
【０００５】
スピニングリールを装着してリール固定装置部を把持した場合の親指の第一関節より先部が当接する領域は、リール載置面の径方向反対側であって、前側フードよりも所定量前方部に相当する。硬質な部材がグリップ領域内に配設されているとは、結局は、親指先部には硬質部材以外にグリップ部材も当接することを意味する。
この親指先部の当接範囲の全部ではなくて一部に硬質な部材を配設しているため、把持した手の親指の第一関節より先部は、柔軟なグリップ部材に当接しつつも、硬質な部材の存在により、把持手の把持感を向上させつつ、親指載置部位の耐久性を向上させることができる。
【０００６】
【発明の実施の形態】
以下、本発明を添付図面に示す実施形態例に基づき、更に詳細に説明する。
図１は本発明に係る釣竿の例としての、スピニングリール専用ルアーロッドのリール固定装置部近くの縦断面図である。エポキシ樹脂等の合成樹脂をマトリックスとし、炭素繊維等の強化繊維で強化した繊維強化樹脂製竿管１０の後方所定位置に、リール載置面１２Ｂを有し、ＡＢＳやナイロン等の構造用合成樹脂材で形成したリールシート本体１２が接着固定されている。
【０００７】
このリールシート本体１２の後側小径部１２Ｅは、前記リール載置面よりも低い小径筒部に形成されており、雄ねじが設けられている。また、リールシート本体の前側端部であって、前記リール載置面の前端部には固定フード１２Ａが一体に設けられている。また、リール載置面の後端部側には、移動フード１４が設けられており、該移動フードは前記雄ねじと螺合する雌ねじを有するナット部材１６と係合しており、このナット部材の回動によって前後移動が可能である。
【０００８】
一方、リールシート本体中心部には、リール載置面の後端部付近位置に底を有する深穴１２Ｃが前端から形成されている。更には、リールシート本体のリール載置面とは径方向反対側から側部にかけて段差状に薄く形成した薄肉部１２Ｄが形成されており、その段差縁を２点鎖線で示している。更には、前記固定フードの根元部（リールシート本体の前端部）は、固定フードの幅領域（全円周ではなく、円周の一部）において前端程拡径した穴１２Ｆが設けられている。
【０００９】
深穴１２Ｃ内には、その底面近くから、竿管との間に発泡性合成樹脂の層１８を設けている。更には、この層はリールシート本体の前端よりも前方所定距離にまで延伸している。この発泡性合成樹脂材としては、例えば、（硬質）ウレタン樹脂があり、他の発泡性合成樹脂材のＥＶＡ等と比較して押し潰しに対して強い（硬度が高い）が、発泡性のために、非発泡性のリールシート本体の部材に比較して軽量である。
【００１０】
前記薄肉部１２Ｄの上から発泡性合成樹脂の層１８の前端部位置にまで、前側グリップ２０の一部としての手前側前側グリップ部材２０Ａが設けられており、その一部が固定フード１２Ａ根元の穴１２Ｆ内に挿入されている。手前側前側グリップ部材は、天然か人工のコルク材又はＥＶＡ等の発泡性合成樹脂材によって形成されており、リール載置面の径方向反対側が最も膨出しており、把持した場合にこの膨出部が掌内に納まって把持感がよい。以上の、竿管１０、発泡性合成樹脂の層１８、リールシート本体１２、手前側前側グリップ部材２０Ａは、各当接境界面が接着固定されている。
【００１１】
この手前側前側グリップ部材２０Ａの前側には、該手前側前側グリップ部材先端の外径に合致した（外径が連続する）先細状の先側前側グリップ部材２０Ｂが竿管表面に対して接着固定されており、前側グリップ２０の一部を成している。この先側前側グリップ部材も、天然か人工のコルク材又はＥＶＡ等の発泡性合成樹脂材によって形成できるが、手前側前側グリップ部材２０Ａと異なる材料とすることもできる。
【００１２】
手前側前側グリップ部材２０Ａと先側前側グリップ部材２０Ｂとの境界部には、これらのグリップ部材よりも硬質な、金属や構造用合成樹脂材の環状板部材２８が配設されており、夫々のグリップ部材の端面と接着固定されている。また、その外径は、各グリップ部材端面の外径に合致する（外径が連続する）外径か、又は幾分小径に形成する。この環状板部材の位置は、スピニングリールが前後のフードによって固定され、この領域を把持した手の親指の先側関節より先部が一般に当接する位置である。しかも、環状板部材は板材であり、あまり厚くはないため、指先の一部にしか当接しない。
【００１３】
従って、指先の大半は柔軟なグリップ部材２０Ａ，２０Ｂに当接しており、把持感を大きくは損なわない上に、グリップ部材の摩損が防止できる。また、既述の如く、環状板部材の外径を前後のグリップ部材２０Ａ，２０Ｂの外径よりも幾分小さく形成しておけば、指先に当たる程度を小さくでき、より把持感を損ない難い。
【００１４】
更にこの形態例では、各グリップ部材２０Ａ，２０Ｂの対向端面２０ＡＥ，２０ＢＥは平行ではなく、中心側が窪む（奥まる）ように傾斜しており、夫々のグリップ部材端部で環状板部材の外縁部付近を強く挟み込んで、ここに隙間が生じることを防止できると共に、中心側には多くの接着剤を保持して接着力を向上できる。
【００１５】
先側前側グリップ部材２０Ｂの前端部には、前端面を保護すべく、金属や構造用合成樹脂（ＡＢＳ樹脂、ナイロン等）によって形成した環状部材２２を設けている。リールシート本体１２の後端面よりも後方には、天然か人工のコルク材又はＥＶＡ等の発泡性合成樹脂材によって形成した柔軟な後側グリップ部材２４が設けられている。このグリップ部材前端面を保護すべく、金属や構造用合成樹脂によって形成した環状部２６Ａを有し、その中心側にはより小径の管状部２６Ｂを突出形成した管状部品２６が設けられている。この管状部品の前端部は、リールシート本体１２（の後側小径部１２Ｅ）の後端部に重合させており、小径管状部はナット部材１６が通過可能である。
【００１６】
このリール固定装置部を把持して釣りを行う場合、リール載置面の径方向反対側に延伸している手前側前側グリップ部材２０Ａの存在により、把持感がよい。また、魚が掛かった際には竿管が撓むが、リール載置面１２Ｂの後端部位近くから前側に位置するリール固定装置部領域の竿管の直ぐ外側には、比較的薄いといえる環状板部材を除き、リールシート本体１２ではなく、発泡性合成樹脂の層１８かグリップ部材２０Ｂが配設されているため、この領域の竿管も撓み易い。従って、把持手には竿管の撓みが感じられ、釣りを楽しむことができる。
【００１７】
また、リールシート本体の前端部の固定フード側には既述の穴１２Ｆが存在し、固定フード部を除いた円周部位は既述の薄肉部であるため、撓みの際にこの前端部において竿管に及ぼす応力集中は小さくなる。
【００１８】
以上の竿管１０は中空管であるが、中実の竿杆でもよい。また、釣竿はルアーロッドでなくてもよい。３６０度部品である環状板部材２８に代わって、スピニングリール使用時の把持手の親指先部の載置部、即ち、リール載置面とは径方向反対側であって、前後方向位置で固定フード位置よりも所定量前方位置に、親指先部の一部だけが当接する範囲の広さに、グリップ部材よりも硬質な小部品を配設し、接着等で固定してもよい。この場合、グリップ部材２０Ａ，２０Ｂは連続形成できる。
【００１９】
【発明の効果】
以上の説明から明らかなように本発明によれば、スピニングリールを装着した場合の把持手の把持感を向上させつつ、親指載置部位の耐久性を向上させることができる。
【図面の簡単な説明】
【図１】図１は、本発明に係る釣竿要部の縦断面図である。
【符号の説明】
１０                    竿管
１２                    リールシート本体
１８                    発泡性合成樹脂材の層
２０Ａ                  手前側前側グリップ部材
２０Ｂ                  先側前側グリップ部材
２８                    環状板部材
【図１】
2004321085.tif 000003